(57)【要約】【課題】チャンネルサーチを行ない、かつ受信性能の劣化を防ぐことが可能なチューナを提供する。【解決手段】チューナ１０１は、通常モードにおいて、第１無線信号と選局チャンネルに対応する第１局部発振信号とを乗算して第１ベースバンド信号を生成し、チャンネルサーチモードにおいて、第１無線信号とサーチ対象のチャンネルに対応する第１局部発振信号とを乗算して第１ベースバンド信号を生成する第１ミキサ回路２２Ａと、通常モードおよびチャンネルサーチモードにおいて、第２無線信号と選局チャンネルに対応する第２局部発振信号とを乗算して第２ベースバンド信号を生成する第２ミキサ回路２２Ｂと、通常モードにおいて第１ベースバンド信号の復調信号および第２ベースバンド信号の復調信号を合成して出力し、チャンネルサーチモードにおいて第２ベースバンド信号の復調信号を出力する合成回路２８とを備える。【選択図】図１
2009077023.tif 000002
【特許請求の範囲】
【請求項１】
通常モードおよびチャンネルサーチモードを有するチューナであって、
前記通常モードにおいて、第１のアンテナが受信した第１の無線信号と選局チャンネルに対応する周波数を有する第１の局部発振信号とを乗算することにより前記第１の無線信号を第１のベースバンド信号に周波数変換し、前記チャンネルサーチモードにおいて、前記第１の無線信号とサーチ対象のチャンネルに対応する周波数を有する第１の局部発振信号とを乗算することにより前記第１の無線信号を第１のベースバンド信号に周波数変換する第１のミキサ回路と、
前記通常モードおよび前記チャンネルサーチモードにおいて、第２のアンテナが受信した第２の無線信号と前記選局チャンネルに対応する周波数を有する第２の局部発振信号とを乗算することにより前記第２の無線信号を第２のベースバンド信号に周波数変換する第２のミキサ回路と、
前記周波数変換された前記第１のベースバンド信号を復調することにより第１の復調信号を生成する第１の復調回路と、
前記周波数変換された前記第２のベースバンド信号を復調することにより第２の復調信号を生成する第２の復調回路と、
前記第１の復調信号および前記第２の復調信号を受けて、前記通常モードにおいて前記第１の復調信号および前記第２の復調信号を合成して出力し、前記チャンネルサーチモードにおいて前記第２の復調信号を出力する合成回路とを備えるチューナ。
【請求項２】
前記チューナは、さらに、
前記第１の無線信号を分岐する分岐回路と、
前記通常モードおよび前記チャンネルサーチモードにおいて、前記分岐された前記第１の無線信号と前記選局チャンネルに対応する周波数を有する第３の局部発振信号とを乗算することにより前記分岐された前記第１の無線信号を第３のベースバンド信号に周波数変換する第３のミキサ回路と、
前記周波数変換された前記第３のベースバンド信号を復調することにより第３の復調信号を生成する第３の復調回路とを備え、
前記第１のミキサ回路は、前記通常モードにおいて、前記分岐された前記第１の無線信号と前記選局チャンネルに対応する周波数を有する第１の局部発振信号とを乗算することにより前記第１の無線信号を第１のベースバンド信号に周波数変換し、前記チャンネルサーチモードにおいて、前記分岐された前記第１の無線信号とサーチ対象のチャンネルに対応する周波数を有する第１の局部発振信号とを乗算することにより前記第１の無線信号を第１のベースバンド信号に周波数変換し、
前記合成回路は、前記第１の復調信号、前記第２の復調信号および前記第３の復調信号を受けて、前記通常モードにおいて、前記第１の復調信号、前記第２の復調信号および前記第３の復調信号を合成して出力し、前記チャンネルサーチモードにおいて、前記第２の復調信号および前記第３の復調信号を合成して出力する請求項１記載のチューナ。
【請求項３】
前記チューナは、さらに、
前記第１のミキサ回路へ前記第１の局部発振信号を出力する第１の電圧制御発振回路と、
前記第２のミキサ回路および前記第３のミキサ回路へ共通の局部発振信号をそれぞれ前記第２の局部発振信号および前記第３の局部発振信号として出力する第２の電圧制御発振回路とを備える請求項１記載のチューナ。
【請求項４】
前記チューナは、さらに、
前記第１の局部発振信号を生成して前記第１のミキサ回路へ出力する第１の電圧制御発振回路と、
前記第１の電圧制御発振回路を制御することにより前記第１の局部発振信号の周波数を変更する第１のＰＬＬ回路と、
前記第１のＰＬＬ回路へ発振信号を出力する第１のクリスタル発振回路と、
前記第２の局部発振信号を生成して前記第２のミキサ回路へ出力する第２の電圧制御発振回路と、
前記第２の電圧制御発振回路を制御することにより前記第２の局部発振信号の周波数を変更する第２のＰＬＬ回路と、
前記第３の局部発振信号を生成して前記第３のミキサ回路へ出力する第３の電圧制御発振回路と、
前記第３の電圧制御発振回路を制御することにより前記第３の局部発振信号の周波数を変更する第３のＰＬＬ回路と、
前記第２のＰＬＬ回路および前記第３のＰＬＬ回路へ共通の発振信号を出力する第２のクリスタル発振回路とを備える請求項１記載のチューナ。
【請求項５】
前記チューナは、さらに、
前記第１のアンテナと前記第１のミキサ回路との間に接続され、前記第１のアンテナが受信した前記第１の無線信号のレベル調整を行なう第１のＲＦＡＧＣ回路と、
前記第１のミキサ回路と前記第１の復調回路との間に接続され、前記周波数変換された前記第１のベースバンド信号のレベル調整を行なう第１のベースバンドＡＧＣ回路と、
前記第１の局部発振信号を生成して前記第１のミキサ回路へ出力する第１の電圧制御発振回路と、
前記第１の電圧制御発振回路を制御することにより前記第１の局部発振信号の周波数を変更する第１のＰＬＬ回路と、
前記第２のアンテナと前記第２のミキサ回路との間に接続され、前記第２のアンテナが受信した前記第２の無線信号のレベル調整を行なう第２のＲＦＡＧＣ回路と、
前記第２のミキサ回路と前記第２の復調回路との間に接続され、前記周波数変換された前記第２のベースバンド信号のレベル調整を行なう第２のベースバンドＡＧＣ回路と、
前記第２の局部発振信号を生成して前記第２のミキサ回路へ出力する第２の電圧制御発振回路と、
前記第２の電圧制御発振回路を制御することにより前記第２の局部発振信号の周波数を変更する第２のＰＬＬ回路とを備え、
前記第１のＲＦＡＧＣ回路、前記第１のベースバンドＡＧＣ回路、前記第１のミキサ回路、前記第１のＰＬＬ回路、前記第２のＲＦＡＧＣ回路、前記第２のベースバンドＡＧＣ回路、前記第２のミキサ回路および前記第２のＰＬＬ回路は、１個の集積回路に含まれる請求項１記載のチューナ。
【請求項６】
前記第１のＲＦＡＧＣ回路、前記第１のベースバンドＡＧＣ回路、前記第１のミキサ回路、前記第１のＰＬＬ回路、前記第１の復調回路、前記第２のＲＦＡＧＣ回路、前記第２のベースバンドＡＧＣ回路、前記第２のミキサ回路、前記第２のＰＬＬ回路、前記第２の復調回路および前記合成回路は、１個の集積回路に含まれる請求項５記載のチューナ。
【請求項７】
前記第１の復調回路、前記第２の復調回路および前記合成回路は、１個の集積回路に含まれる請求項１記載のチューナ。
【請求項８】
前記チューナは、さらに、
前記第１のアンテナと前記第１のミキサ回路との間に接続され、前記第１のアンテナが受信した前記第１の無線信号のレベル調整を行なう第１のＲＦＡＧＣ回路と、
前記第１のミキサ回路と前記第１の復調回路との間に接続され、前記周波数変換された前記第１のベースバンド信号のレベル調整を行なう第１のベースバンドＡＧＣ回路と、
前記第１の局部発振信号を生成して前記第１のミキサ回路へ出力する第１の電圧制御発振回路と、
前記第１の電圧制御発振回路を制御することにより前記第１の局部発振信号の周波数を変更する第１のＰＬＬ回路と、
前記第２のアンテナと前記第２のミキサ回路との間に接続され、前記第２のアンテナが受信した前記第２の無線信号のレベル調整を行なう第２のＲＦＡＧＣ回路と、
前記第２のミキサ回路と前記第２の復調回路との間に接続され、前記周波数変換された前記第２のベースバンド信号のレベル調整を行なう第２のベースバンドＡＧＣ回路と、
前記第２の局部発振信号を生成して前記第２のミキサ回路へ出力する第２の電圧制御発振回路と、
前記第２の電圧制御発振回路を制御することにより前記第２の局部発振信号の周波数を変更する第２のＰＬＬ回路と、
前記第１のＲＦＡＧＣ回路、前記第１のベースバンドＡＧＣ回路、前記第１のミキサ回路、前記第１のＰＬＬ回路、前記第１の復調回路、前記第２のＲＦＡＧＣ回路、前記第２のベースバンドＡＧＣ回路、前記第２のミキサ回路、前記第２のＰＬＬ回路、前記第２の復調回路および前記合成回路を収納する筐体とを備える請求項１記載のチューナ。
【請求項９】
第１の無線信号を受信する第１のアンテナと、
第２の無線信号を受信する第２のアンテナと、
通常モードおよびチャンネルサーチモードを有するチューナと、
前記チューナから受けた信号の復号処理を行なう信号処理部とを備え、
前記チューナは、
前記通常モードにおいて、前記第１のアンテナが受信した前記第１の無線信号と選局チャンネルに対応する周波数を有する第１の局部発振信号とを乗算することにより前記第１の無線信号を第１のベースバンド信号に周波数変換し、前記チャンネルサーチモードにおいて、前記第１の無線信号とサーチ対象のチャンネルに対応する周波数を有する第１の局部発振信号とを乗算することにより前記第１の無線信号を第１のベースバンド信号に周波数変換する第１のミキサ回路と、
前記通常モードおよび前記チャンネルサーチモードにおいて、前記第２のアンテナが受信した前記第２の無線信号と前記選局チャンネルに対応する周波数を有する第２の局部発振信号とを乗算することにより前記第２の無線信号を第２のベースバンド信号に周波数変換する第２のミキサ回路と、
前記周波数変換された前記第１のベースバンド信号を復調することにより第１の復調信号を生成する第１の復調回路と、
前記周波数変換された前記第２のベースバンド信号を復調することにより第２の復調信号を生成する第２の復調回路と、
前記第１の復調信号および前記第２の復調信号を受けて、前記通常モードにおいて前記第１の復調信号および前記第２の復調信号を合成して前記信号処理部へ出力し、前記チャンネルサーチモードにおいて前記第２の復調信号を前記信号処理部へ出力する合成回路とを含むダイバーシティ受信システム。
【発明の詳細な説明】
【技術分野】
【０００１】
本発明は、チューナおよびそれを備えたダイバーシティ受信システムに関し、特に、チャンネルサーチを行なうチューナおよびそれを備えたダイバーシティ受信システムに関する。
【背景技術】
【０００２】
移動しながら地上波デジタル放送の電波を受信するチューナが開発されている。このチューナは、ある放送地域から他の放送地域へ移動する際、現在選局中のチャンネルとは異なるチャンネルを並行して受信するチャンネルサーチを行なう。このチャンネルサーチにより、他の放送地域のチャンネル情報を取得することができるため、瞬断等の受信障害無しに同じ内容の放送をユーザが継続して視聴することができる。
【０００３】
このようなチャンネルサーチを行なう構成の一例として、たとえば、特許文献１には以下のような地上デジタル自動選局方法が開示されている。すなわち、ダブルチューナー搭載のダイバーシティアンテナ受信機では、２個のチューナで状態の良い方の信号を用いて受信を行なう。電波が安定しているときは、片方のチューナを用いてチャンネルサーチを行ない、受信地域の全チャンネル情報を受信機に記憶させる。また、隣接地域のチャンネル情報を放送し、それを片方のチューナで受信して、隣接地域のチャンネル情報を記憶させることにより、隣接地域に移動したときにその地域の放送チャンネルをサーチすることなく、シームレスな放送受信が可能となる。
【０００４】
また、特許文献２には以下のような車載用ＴＶ受信装置が開示されている。すなわち、一方で希望放送を受信し、他方でチャンネルサーチをする２つのＴＶチューナと、２つのＴＶチューナで受信された映像信号について、テスト信号ラインを含む特定部分を比較して同一放送か否か照合する照合手段と、２つのＴＶチューナの受信状態を比較する受信状態比較手段と、２つのＴＶチューナの一方で希望放送を受信させるとともに、他方でチャンネルサーチをさせ、照合手段が同一放送と判別した場合であって受信状態比較手段がサーチ側のＴＶチューナの方が受信状態良好と判別したときには、サーチ側チャンネルに希望放送受信チャンネルを切り換えさせる制御手段とを備える。
【特許文献１】特開２００４−３２０４０６号公報
【特許文献２】特開平５−４８９８４号公報
【発明の開示】
【発明が解決しようとする課題】
【０００５】
しかしながら、特許文献１記載の構成および特許文献２記載の構成では、たとえば地上波デジタル放送の電波であるＲＦ（Radio Frequency）信号をＩＦ（Intermediate Frequency）信号に周波数変換する場合、局部発振信号の周波数よりＩＦ周波数だけ上下に離れた２つの周波数の信号がそれぞれ受信される。ここで、上下２つの周波数を有する信号の一方が目的のＲＦ信号であり、他方は不要なイメージ信号である。そうすると、一方のチューナで受信されたイメージ信号が他方のチューナで受信されるＲＦ信号に干渉することにより、受信性能が劣化してしまう場合がある。
【０００６】
それゆえに、本発明の目的は、チャンネルサーチを行ない、かつ受信性能の劣化を防ぐことが可能なチューナおよびそれを備えたダイバーシティ受信システムを提供することである。
【課題を解決するための手段】
【０００７】
上記課題を解決するために、この発明のある局面に係わるチューナは、通常モードおよびチャンネルサーチモードを有するチューナであって、通常モードにおいて、第１のアンテナが受信した第１の無線信号と選局チャンネルに対応する周波数を有する第１の局部発振信号とを乗算することにより第１の無線信号を第１のベースバンド信号に周波数変換し、チャンネルサーチモードにおいて、第１の無線信号とサーチ対象のチャンネルに対応する周波数を有する第１の局部発振信号とを乗算することにより第１の無線信号を第１のベースバンド信号に周波数変換する第１のミキサ回路と、通常モードおよびチャンネルサーチモードにおいて、第２のアンテナが受信した第２の無線信号と選局チャンネルに対応する周波数を有する第２の局部発振信号とを乗算することにより第２の無線信号を第２のベースバンド信号に周波数変換する第２のミキサ回路と、周波数変換された第１のベースバンド信号を復調することにより第１の復調信号を生成する第１の復調回路と、周波数変換された第２のベースバンド信号を復調することにより第２の復調信号を生成する第２の復調回路と、第１の復調信号および第２の復調信号を受けて、通常モードにおいて第１の復調信号および第２の復調信号を合成して出力し、チャンネルサーチモードにおいて第２の復調信号を出力する合成回路とを備える。
【０００８】
好ましくは、チューナは、さらに、第１の無線信号を分岐する分岐回路と、通常モードおよびチャンネルサーチモードにおいて、分岐された第１の無線信号と選局チャンネルに対応する周波数を有する第３の局部発振信号とを乗算することにより分岐された第１の無線信号を第３のベースバンド信号に周波数変換する第３のミキサ回路と、周波数変換された第３のベースバンド信号を復調することにより第３の復調信号を生成する第３の復調回路とを備え、第１のミキサ回路は、通常モードにおいて、分岐された第１の無線信号と選局チャンネルに対応する周波数を有する第１の局部発振信号とを乗算することにより第１の無線信号を第１のベースバンド信号に周波数変換し、チャンネルサーチモードにおいて、分岐された第１の無線信号とサーチ対象のチャンネルに対応する周波数を有する第１の局部発振信号とを乗算することにより第１の無線信号を第１のベースバンド信号に周波数変換し、合成回路は、第１の復調信号、第２の復調信号および第３の復調信号を受けて、通常モードにおいて、第１の復調信号、第２の復調信号および第３の復調信号を合成して出力し、チャンネルサーチモードにおいて、第２の復調信号および第３の復調信号を合成して出力する。
【０００９】
好ましくは、チューナは、さらに、第１のミキサ回路へ第１の局部発振信号を出力する第１の電圧制御発振回路と、第２のミキサ回路および第３のミキサ回路へ共通の局部発振信号をそれぞれ第２の局部発振信号および第３の局部発振信号として出力する第２の電圧制御発振回路とを備える。
【００１０】
好ましくは、チューナは、さらに、第１の局部発振信号を生成して第１のミキサ回路へ出力する第１の電圧制御発振回路と、第１の電圧制御発振回路を制御することにより第１の局部発振信号の周波数を変更する第１のＰＬＬ回路と、第１のＰＬＬ回路へ発振信号を出力する第１のクリスタル発振回路と、第２の局部発振信号を生成して第２のミキサ回路へ出力する第２の電圧制御発振回路と、第２の電圧制御発振回路を制御することにより第２の局部発振信号の周波数を変更する第２のＰＬＬ回路と、第３の局部発振信号を生成して第３のミキサ回路へ出力する第３の電圧制御発振回路と、第３の電圧制御発振回路を制御することにより第３の局部発振信号の周波数を変更する第３のＰＬＬ回路と、第２のＰＬＬ回路および第３のＰＬＬ回路へ共通の発振信号を出力する第２のクリスタル発振回路とを備える。
【００１１】
好ましくは、チューナは、さらに、第１のアンテナと第１のミキサ回路との間に接続され、第１のアンテナが受信した第１の無線信号のレベル調整を行なう第１のＲＦＡＧＣ回路と、第１のミキサ回路と第１の復調回路との間に接続され、周波数変換された第１のベースバンド信号のレベル調整を行なう第１のベースバンドＡＧＣ回路と、第１の局部発振信号を生成して第１のミキサ回路へ出力する第１の電圧制御発振回路と、第１の電圧制御発振回路を制御することにより第１の局部発振信号の周波数を変更する第１のＰＬＬ回路と、第２のアンテナと第２のミキサ回路との間に接続され、第２のアンテナが受信した第２の無線信号のレベル調整を行なう第２のＲＦＡＧＣ回路と、第２のミキサ回路と第２の復調回路との間に接続され、周波数変換された第２のベースバンド信号のレベル調整を行なう第２のベースバンドＡＧＣ回路と、第２の局部発振信号を生成して第２のミキサ回路へ出力する第２の電圧制御発振回路と、第２の電圧制御発振回路を制御することにより第２の局部発振信号の周波数を変更する第２のＰＬＬ回路とを備え、第１のＲＦＡＧＣ回路、第１のベースバンドＡＧＣ回路、第１のミキサ回路、第１のＰＬＬ回路、第２のＲＦＡＧＣ回路、第２のベースバンドＡＧＣ回路、第２のミキサ回路および第２のＰＬＬ回路は、１個の集積回路に含まれる。
【００１２】
より好ましくは、第１のＲＦＡＧＣ回路、第１のベースバンドＡＧＣ回路、第１のミキサ回路、第１のＰＬＬ回路、第１の復調回路、第２のＲＦＡＧＣ回路、第２のベースバンドＡＧＣ回路、第２のミキサ回路、第２のＰＬＬ回路、第２の復調回路および合成回路は、１個の集積回路に含まれる。
【００１３】
好ましくは、第１の復調回路、第２の復調回路および合成回路は、１個の集積回路に含まれる。
【００１４】
好ましくは、チューナは、さらに、第１のアンテナと第１のミキサ回路との間に接続され、第１のアンテナが受信した第１の無線信号のレベル調整を行なう第１のＲＦＡＧＣ回路と、第１のミキサ回路と第１の復調回路との間に接続され、周波数変換された第１のベースバンド信号のレベル調整を行なう第１のベースバンドＡＧＣ回路と、第１の局部発振信号を生成して第１のミキサ回路へ出力する第１の電圧制御発振回路と、第１の電圧制御発振回路を制御することにより第１の局部発振信号の周波数を変更する第１のＰＬＬ回路と、第２のアンテナと第２のミキサ回路との間に接続され、第２のアンテナが受信した第２の無線信号のレベル調整を行なう第２のＲＦＡＧＣ回路と、第２のミキサ回路と第２の復調回路との間に接続され、周波数変換された第２のベースバンド信号のレベル調整を行なう第２のベースバンドＡＧＣ回路と、第２の局部発振信号を生成して第２のミキサ回路へ出力する第２の電圧制御発振回路と、第２の電圧制御発振回路を制御することにより第２の局部発振信号の周波数を変更する第２のＰＬＬ回路と、第１のＲＦＡＧＣ回路、第１のベースバンドＡＧＣ回路、第１のミキサ回路、第１のＰＬＬ回路、第１の復調回路、第２のＲＦＡＧＣ回路、第２のベースバンドＡＧＣ回路、第２のミキサ回路、第２のＰＬＬ回路、第２の復調回路および合成回路を収納する筐体とを備える。
【００１５】
上記課題を解決するために、この発明のある局面に係わるダイバーシティ受信システムは、第１の無線信号を受信する第１のアンテナと、第２の無線信号を受信する第２のアンテナと、通常モードおよびチャンネルサーチモードを有するチューナと、チューナから受けた信号の復号処理を行なう信号処理部とを備え、チューナは、通常モードにおいて、第１のアンテナが受信した第１の無線信号と選局チャンネルに対応する周波数を有する第１の局部発振信号とを乗算することにより第１の無線信号を第１のベースバンド信号に周波数変換し、チャンネルサーチモードにおいて、第１の無線信号とサーチ対象のチャンネルに対応する周波数を有する第１の局部発振信号とを乗算することにより第１の無線信号を第１のベースバンド信号に周波数変換する第１のミキサ回路と、通常モードおよびチャンネルサーチモードにおいて、第２のアンテナが受信した第２の無線信号と選局チャンネルに対応する周波数を有する第２の局部発振信号とを乗算することにより第２の無線信号を第２のベースバンド信号に周波数変換する第２のミキサ回路と、周波数変換された第１のベースバンド信号を復調することにより第１の復調信号を生成する第１の復調回路と、周波数変換された第２のベースバンド信号を復調することにより第２の復調信号を生成する第２の復調回路と、第１の復調信号および第２の復調信号を受けて、通常モードにおいて第１の復調信号および第２の復調信号を合成して信号処理部へ出力し、チャンネルサーチモードにおいて第２の復調信号を信号処理部へ出力する合成回路とを含む。
【発明の効果】
【００１６】
本発明によれば、チャンネルサーチを行ない、かつ受信性能の劣化を防ぐことができる。
【発明を実施するための最良の形態】
【００１７】
以下、本発明の実施の形態について図面を用いて説明する。なお、図中同一または相当部分には同一符号を付してその説明は繰り返さない。
【００１８】
＜第１の実施の形態＞
図１は、本発明の第１の実施の形態に係るチューナの機能ブロック図である。
【００１９】
図１を参照して、チューナ１０１は、入力端子２０Ａ，２０Ｂと、ダイバーシティ部１，２とを備える。ダイバーシティ部１は、ＲＦ＿ＡＧＣ（Auto Gain Control）回路２１Ａと、ミキサ回路２２Ａと、ＶＣＯ（Voltage Controlled Oscillator）２３Ａと、ＰＬＬ（Phase Locked Loop）回路２４Ａと、クリスタル発振回路２５Ａと、ベースバンドＡＧＣ回路２６Ａと、ダイバーシティ受信用復調ＩＣ（Integrated Circuit）２７Ａとを含む。ダイバーシティ部２は、ＲＦ＿ＡＧＣ回路２１Ｂと、ミキサ回路２２Ｂと、ＶＣＯ２３Ｂと、ＰＬＬ回路２４Ｂと、クリスタル発振回路２５Ｂと、ベースバンドＡＧＣ回路２６Ｂと、ダイバーシティ受信用復調ＩＣ２７Ｂとを含む。ダイバーシティ受信用復調ＩＣ２７Ａは、Ａ／Ｄ（Analog to Digital）コンバータ１１Ａと、復調回路１２Ａと、合成回路２８とを含む。ダイバーシティ受信用復調ＩＣ２７Ｂは、Ａ／Ｄコンバータ１１Ｂと、復調回路１２Ｂとを含む。なお、ダイバーシティ受信用復調ＩＣ２７Ａではなくダイバーシティ受信用復調ＩＣ２７Ｂが合成回路２８を含む構成であってもよい。
【００２０】
チューナ１０１は、チャンネルサーチを行なうチャンネルサーチモードと、チャンネルサーチを行なわない通常モードとを有する。
【００２１】
ダイバーシティ部１は、通常モードにおいて、選局されたチャンネルの放送を受信するためにＲＦ信号の受信処理を行ない、チャンネルサーチモードにおいて、チャンネルサーチを行なうためにＲＦ信号の受信処理を行なう。
【００２２】
ダイバーシティ部２は、通常モードおよびチャンネルサーチモードにおいて、選局されたチャンネルの放送を受信するためにＲＦ信号の受信処理を行なう。
【００２３】
入力端子２０Ａ，２０Ｂは、図示しないアンテナからＲＦ信号（無線信号）を受ける。ＲＦ信号は、たとえば９０ＭＨｚ〜７７０ＭＨｚのＵＨＦ（Ultra High Frequency）信号である。
【００２４】
ＲＦ＿ＡＧＣ回路２１Ａ，２１Ｂは、それぞれ入力端子２０Ａ，２０Ｂから受けたＲＦ信号のレベル調整を行なう。
【００２５】
クリスタル発振回路２５Ａ，２５Ｂは、それぞれ発振信号をＰＬＬ回路２４Ａ，２４Ｂへ出力することにより、ＰＬＬ回路２４Ａ，２４Ｂを駆動する。ＰＬＬ回路２４Ａ，２４Ｂは、クリスタル発振回路２５Ａ，２５Ｂからそれぞれ受けた発振信号に基づいて、ローカル信号（局部発振信号）の発振周波数を変更する。ＶＣＯ２３Ａ，２３Ｂの各々は、ＰＬＬ回路２４Ａ，２４Ｂの制御に基づいて発振し、たとえば互いに位相がπ／２異なる２個のローカル信号を出力する。
【００２６】
ＰＬＬ回路２４Ａは、通常モードにおいて、ＶＣＯ２３Ａを制御することにより、選局チャンネルに対応する周波数を有するローカル信号をＶＣＯ２３Ａからミキサ回路２２Ａへ出力する。また、ＰＬＬ回路２４Ａは、チャンネルサーチモードにおいて、ＶＣＯ２３Ａを制御することにより、サーチ対象のチャンネルに対応する周波数を有するローカル信号をＶＣＯ２３Ａからミキサ回路２２Ａへ出力する。
【００２７】
ＰＬＬ回路２４Ｂは、通常モードおよびチャンネルサーチモードにおいて、ＶＣＯ２３Ｂを制御することにより、選局チャンネルに対応する周波数を有するローカル信号をＶＣＯ２３Ｂからミキサ回路２２Ｂへ出力する。
【００２８】
ミキサ回路２２Ａは、ＲＦ＿ＡＧＣ回路２１Ａでレベル調整されたＲＦ信号とＶＣＯ２３Ａから受けた２個のローカル信号とを乗算することによりＲＦ信号を２個のベースバンド信号に周波数変換し、アナログ信号ＩおよびＱとして出力する。また、ミキサ回路２２Ｂは、ＲＦ＿ＡＧＣ回路２１Ｂでレベル調整されたＲＦ信号とＶＣＯ２３Ｂから受けた２個のローカル信号とを乗算することによりＲＦ信号を２個のベースバンド信号に周波数変換し、アナログ信号ＩおよびＱとして出力する。
【００２９】
ベースバンドＡＧＣ回路２６Ａ，２６Ｂは、それぞれミキサ回路２２Ａ，２２Ｂから受けたアナログ信号ＩおよびＱのレベル調整を行なう。
【００３０】
Ａ／Ｄコンバータ１１Ａ，１１Ｂは、それぞれベースバンドＡＧＣ回路２６Ａ，２６Ｂによってレベル調整されたアナログ信号ＩおよびＱをデジタル信号に変換し、デジタル信号ＩおよびＱとして出力する。
【００３１】
復調回路１２Ａ，１２Ｂは、それぞれＡ／Ｄコンバータ１１Ａ，１１Ｂから受けたデジタル信号ＩおよびＱをＯＦＤＭ復調する。復調回路１２Ａ，１２Ｂは、それぞれ復調した信号に対してたとえば補間処理を行ない、補間処理後の信号を合成回路２８へ出力する。
【００３２】
合成回路２８は、通常モードにおいて、復調回路１２Ａ，１２Ｂからそれぞれ受けた補間処理後の信号を合成し、合成した信号をトランスポートストリーム信号（以下ＴＳ信号とも称する。）として外部へ出力する。また、合成回路２８は、チャンネルサーチモードにおいては、復調回路１２Ａ，１２Ｂからそれぞれ受けた補間処理後の信号の合成は行なわず、復調回路１２Ｂから受けた補間処理後の信号をＴＳ信号として外部へ出力する。
【００３３】
ここで、チューナ１０１を備える装置が移動しながら放送を受信する場合には、装置の移動に伴って放送地域が変化する。そこで、本発明の第１の実施の形態に係るチューナでは、チューナ１０１が備えるダイバーシティ部１がチャンネルサーチを行なうことにより、チューナ１０１を備える装置が移動することによって変更されるチャンネル情報を新たに取得することができる。したがって、チューナ１０１を備える装置が新しい放送地域に移動しても、瞬断等の受信障害無しに同じ内容の放送を継続して受信することができる。
【００３４】
ところで、特許文献１記載の構成および特許文献２記載の構成では、たとえば地上波デジタル放送の電波であるＲＦ信号をＩＦ信号に周波数変換する場合、イメージ信号が受信される。そして、一方のチューナで発生したイメージ信号が他方のチューナで受信されるＲＦ信号に干渉することにより、受信性能が劣化してしまう場合がある。
【００３５】
すなわち、ＲＦ信号をＩＦ信号に周波数変換し、ＩＦ信号をベースバンド信号に周波数変換する方式であるシングルコンバージョン方式では、ダイバーシティ部間で異なるチャンネルを選局することになるチャンネルサーチ時に、一方のダイバーシティ部で受信されるイメージ信号が他方のダイバーシティ部で受信されるＲＦ信号に対する妨害信号となる場合がある。ここで、周波数変換されるＩＦ信号の周波数をｆｃとし、ＲＦ信号の周波数をｆ０とすると、イメージ妨害信号の周波数ｆｉは、以下の式で表わされる。
【００３６】
ｆｉ＝ｆ０＋２×ｆｃ・・・（１）
しかしながら、本発明の第１の実施の形態に係るチューナでは、ＲＦ信号を直接ベースバンド信号に周波数変換する方式であるダイレクトコンバージョン方式が採用されている。すなわち、ｆｃ＝０となるため、式（１）はｆｉ＝ｆ０となることから、イメージ妨害信号が存在しなくなる。
【００３７】
したがって、チャンネルサーチ時にダイバーシティ部のＲＦ信号およびローカル発振信号がイメージ信号に干渉されることを防ぐことができるため、チャンネルサーチ時でも受信品質を良好にすることができる。すなわち、本発明の第１の実施の形態に係るチューナでは、チャンネルサーチを行ない、かつ受信性能の劣化を防ぐことができる。
【００３８】
次に、本発明の他の実施の形態について図面を用いて説明する。なお、図中同一または相当部分には同一符号を付してその説明は繰り返さない。
【００３９】
＜第２の実施の形態＞
本実施の形態は、第１の実施の形態に係るチューナと比べてダイバーシティ部を追加したチューナに関する。以下で説明する内容以外は第１の実施の形態に係るチューナと同様である。
【００４０】
図２は、本発明の第２の実施の形態に係るチューナの構成を示す図である。
図２を参照して、チューナ１０２は、入力端子２０Ａ，２０Ｂと、分配器（分配回路）４８と、ダイバーシティ部１，２，３とを備える。ダイバーシティ部３は、ＲＦ＿ＡＧＣ回路２１Ｃと、ミキサ回路２２Ｃと、ＶＣＯ２３Ｃと、ＰＬＬ回路２４Ｃと、クリスタル発振回路２５Ｃと、ベースバンドＡＧＣ回路２６Ｃと、ダイバーシティ受信用復調ＩＣ２７Ｃとを含む。ダイバーシティ受信用復調ＩＣ２７Ａは、Ａ／Ｄコンバータ１１Ａと、復調回路１２Ａとを含む。ダイバーシティ受信用復調ＩＣ２７Ｂは、Ａ／Ｄコンバータ１１Ｂと、復調回路１２Ｂとを含む。ダイバーシティ受信用復調ＩＣ２７Ｃは、Ａ／Ｄコンバータ１１Ｃと、復調回路１２Ｃと、合成回路２８とを含む。
【００４１】
ダイバーシティ部３は、通常モードおよびチャンネルサーチモードにおいて、選局されたチャンネルの放送を受信するためにＲＦ信号の受信処理を行なう。
【００４２】
分配器４８は、入力端子２０Ａから受けたＲＦ信号を分岐して出力する。
ＲＦ＿ＡＧＣ回路２１Ａは、分配器４８から受けたＲＦ信号のレベル調整を行なう。
【００４３】
ダイバーシティ部３において、ＲＦ＿ＡＧＣ回路２１Ｃは、分配器４８から受けたＲＦ信号のレベル調整を行なう。
【００４４】
クリスタル発振回路２５Ｃは、発振信号をＰＬＬ回路２４Ｃへ出力することにより、ＰＬＬ回路２４Ｃを駆動する。ＰＬＬ回路２４Ｃは、クリスタル発振回路２５Ｃから受けた発振信号に基づいて、ローカル信号（局部発振信号）の発振周波数を変更する。ＶＣＯ２３Ｃは、ＰＬＬ回路２４Ｃの制御に基づいて発振し、たとえば互いに位相がπ／２異なる２個のローカル信号を出力する。
【００４５】
ＰＬＬ回路２４Ｃは、通常モードおよびチャンネルサーチモードにおいて、ＶＣＯ２３Ｃを制御することにより、選局チャンネルに対応する周波数を有するローカル信号をＶＣＯ２３Ｃからミキサ回路２２Ｃへ出力する。
【００４６】
ミキサ回路２２Ｃは、ＲＦ＿ＡＧＣ回路２１Ｃでレベル調整されたＲＦ信号とＶＣＯ２３Ｃから受けた２個のローカル信号とを乗算することによりＲＦ信号を２個のベースバンド信号に周波数変換し、アナログ信号ＩおよびＱとして出力する。
【００４７】
ベースバンドＡＧＣ回路２６Ｃは、ミキサ回路２２Ｃから受けたアナログ信号ＩおよびＱのレベル調整を行なう。
【００４８】
Ａ／Ｄコンバータ１１Ｃは、ベースバンドＡＧＣ回路２６Ｃによってレベル調整されたアナログ信号ＩおよびＱをデジタル信号に変換し、デジタル信号ＩおよびＱとして出力する。
【００４９】
復調回路１２Ｃは、Ａ／Ｄコンバータ１１Ｃから受けたデジタル信号ＩおよびＱをＯＦＤＭ復調する。復調回路１２Ｃは、復調した信号に対してたとえば補間処理を行ない、補間処理後の復調信号を合成回路２８へ出力する。
【００５０】
合成回路２８は、通常モードにおいて、復調回路１２Ａ，１２Ｂ，１２Ｃからそれぞれ受けた補間処理後の信号を合成し、合成した信号をＴＳ信号として外部へ出力する。また、合成回路２８は、チャンネルサーチモードにおいては、復調回路１２Ａから受けた補間処理後の信号は合成に用いず、復調回路１２Ｂ，１２Ｃからそれぞれ受けた補間処理後の信号を合成し、合成した信号をＴＳ信号として外部へ出力する。
【００５１】
本発明の実施の形態に係るチューナが採用しているダイバーシティ受信方式では、復調処理および補間処理後の信号を合成するため、合成される信号数すなわちダイバーシティ部の数の多い方が受信特性を良好にすることができる。
【００５２】
ここで、本発明の第１の実施の形態に係るチューナでは、チャンネルサーチ時、選局チャンネルの放送を受信するダイバーシティ部が２個から１個に減ってしまう。しかしながら、本発明の第２の実施の形態に係るチューナでは、分配器４８は、入力端子２０Ａから受けたＲＦ信号を分岐して出力する。そして、ダイバーシティ部３は、通常モードおよびチャンネルサーチモードにおいて、選局されたチャンネルの放送を受信するためにＲＦ信号の受信処理を行なう。このような構成により、チャンネルサーチ時に選局チャンネルの放送を受信するダイバーシティ部の数が１個に減ることを防ぐことができるため、チューナを備える装置がより高速に走行しても良好な受信性能を実現することができる。
【００５３】
その他の構成および動作は第１の実施の形態に係るチューナと同様であるため、ここでは詳細な説明を繰り返さない。したがって、本発明の第２の実施の形態に係るチューナでは、チャンネルサーチを行ない、かつ受信性能の劣化を防ぐことができる。
【００５４】
次に、本発明の他の実施の形態について図面を用いて説明する。なお、図中同一または相当部分には同一符号を付してその説明は繰り返さない。
【００５５】
＜第３の実施の形態＞
本実施の形態は、第１の実施の形態に係るチューナと比べてダイバーシティ部を追加し、かつ一部のＶＣＯを共通にしたチューナに関する。以下で説明する内容以外は第１の実施の形態に係るチューナと同様である。
【００５６】
図３は、本発明の第３の実施の形態に係るチューナの構成を示す図である。
図３を参照して、チューナ１０３は、入力端子２０Ａ，２０Ｂ，２０Ｃと、ダイバーシティ部１，２，３とを備える。ダイバーシティ部３は、ＲＦ＿ＡＧＣ回路２１Ｃと、ミキサ回路２２Ｃと、ベースバンドＡＧＣ回路２６Ｃと、ダイバーシティ受信用復調ＩＣ２７Ｃとを含む。ダイバーシティ受信用復調ＩＣ２７Ａは、Ａ／Ｄコンバータ１１Ａと、復調回路１２Ａとを含む。ダイバーシティ受信用復調ＩＣ２７Ｂは、Ａ／Ｄコンバータ１１Ｂと、復調回路１２Ｂとを含む。ダイバーシティ受信用復調ＩＣ２７Ｃは、Ａ／Ｄコンバータ１１Ｃと、復調回路１２Ｃと、合成回路２８とを含む。
【００５７】
ダイバーシティ部３は、通常モードおよびチャンネルサーチモードにおいて、選局されたチャンネルの放送を受信するためにＲＦ信号の受信処理を行なう。
【００５８】
ダイバーシティ部３において、ＲＦ＿ＡＧＣ回路２１Ｃは、入力端子２０Ｃから受けたＲＦ信号のレベル調整を行なう。
【００５９】
ＶＣＯ２３Ｂは、ＰＬＬ回路２４Ｂの制御に基づいて発振し、たとえば互いに位相がπ／２異なる２個のローカル信号をミキサ回路２２Ｂおよび２２Ｃへ出力する。
【００６０】
ＰＬＬ回路２４Ｂは、通常モードおよびチャンネルサーチモードにおいて、ＶＣＯ２３Ｂを制御することにより、選局チャンネルに対応する周波数を有するローカル信号をＶＣＯ２３Ｂからミキサ回路２２Ｂおよび２２Ｃへ出力する。
【００６１】
ミキサ回路２２Ｃは、ＲＦ＿ＡＧＣ回路２１Ｃでレベル調整されたＲＦ信号とＶＣＯ２３Ｂから受けた２個のローカル信号とを乗算することによりＲＦ信号を２個のベースバンド信号に周波数変換し、アナログ信号ＩおよびＱとして出力する。
【００６２】
ベースバンドＡＧＣ回路２６Ｃは、ミキサ回路２２Ｃから受けたアナログ信号ＩおよびＱのレベル調整を行なう。
【００６３】
Ａ／Ｄコンバータ１１Ｃは、ベースバンドＡＧＣ回路２６Ｃによってレベル調整されたアナログ信号ＩおよびＱをデジタル信号に変換し、デジタル信号ＩおよびＱとして出力する。
【００６４】
復調回路１２Ｃは、Ａ／Ｄコンバータ１１Ｃから受けたデジタル信号ＩおよびＱをＯＦＤＭ復調する。復調回路１２Ｃは、復調した信号に対してたとえば補間処理を行ない、補間処理後の復調信号を合成回路２８へ出力する。
【００６５】
合成回路２８は、通常モードにおいて、復調回路１２Ａ，１２Ｂ，１２Ｃからそれぞれ受けた補間処理後の信号を合成し、合成した信号をＴＳ信号として外部へ出力する。また、合成回路２８は、チャンネルサーチモードにおいては、復調回路１２Ａから受けた補間処理後の信号の合成は行なわず、復調回路１２Ｂ，１２Ｃからそれぞれ受けた補間処理後の信号を合成し、合成した信号をＴＳ信号として外部へ出力する。
【００６６】
本発明の第３の実施の形態に係るチューナでは、ダイバーシティ部３は、通常モードおよびチャンネルサーチモードにおいて、選局されたチャンネルの放送を受信するためにＲＦ信号の受信処理を行なう。このような構成により、チャンネルサーチ時に選局チャンネルの放送を受信するダイバーシティ部の数が１個に減ることを防ぐことができるため、チューナを備える装置がより高速に走行しても良好な受信性能を実現することができる。
【００６７】
また、ＶＣＯ２３Ｂが、通常モードおよびチャンネルサーチモードにおいて、選局チャンネルに対応する周波数を有する共通のローカル信号をそれぞれミキサ回路２２Ｂおよび２２Ｃへ出力する構成により、本発明の第２の実施の形態に係るチューナと比べて小型化、低価格化および低消費電力化を図ることができる。
【００６８】
その他の構成および動作は第１の実施の形態に係るチューナと同様であるため、ここでは詳細な説明を繰り返さない。したがって、本発明の第３の実施の形態に係るチューナでは、チャンネルサーチを行ない、かつ受信性能の劣化を防ぐことができる。
【００６９】
次に、本発明の他の実施の形態について図面を用いて説明する。なお、図中同一または相当部分には同一符号を付してその説明は繰り返さない。
【００７０】
＜第４の実施の形態＞
本実施の形態は、第２の実施の形態に係るチューナと比べて一部のＶＣＯを共通にしたチューナに関する。以下で説明する内容以外は第２の実施の形態に係るチューナと同様である。
【００７１】
図４は、本発明の第４の実施の形態に係るチューナの構成を示す図である。
図４を参照して、チューナ１０４は、ダイバーシティ部３が、ＶＣＯ２３Ｃと、ＰＬＬ回路２４Ｃと、クリスタル発振回路２５Ｃとを含まない点でチューナ１０２と異なる。
【００７２】
ＶＣＯ２３Ｂは、ＰＬＬ回路２４Ｂの制御に基づいて発振し、たとえば互いに位相がπ／２異なる２個のローカル信号をミキサ回路２２Ｂおよび２２Ｃへ出力する。
【００７３】
ＰＬＬ回路２４Ｂは、通常モードおよびチャンネルサーチモードにおいて、ＶＣＯ２３Ｂを制御することにより、選局チャンネルに対応する周波数を有するローカル信号をＶＣＯ２３Ｂからミキサ回路２２Ｂおよび２２Ｃへ出力する。
【００７４】
ミキサ回路２２Ｃは、ＲＦ＿ＡＧＣ回路２１Ｃでレベル調整されたＲＦ信号とＶＣＯ２３Ｂから受けた２個のローカル信号とを乗算することによりＲＦ信号を２個のベースバンド信号に周波数変換し、アナログ信号ＩおよびＱとして出力する。
【００７５】
このように、ＶＣＯ２３Ｂが、通常モードおよびチャンネルサーチモードにおいて、選局チャンネルに対応する周波数を有する共通のローカル信号をそれぞれミキサ回路２２Ｂおよび２２Ｃへ出力する構成により、本発明の第２の実施の形態に係るチューナと比べて小型化、低価格化および低消費電力化を図ることができる。
【００７６】
その他の構成および動作は第２の実施の形態に係るチューナと同様であるため、ここでは詳細な説明を繰り返さない。したがって、本発明の第４の実施の形態に係るチューナでは、チャンネルサーチを行ない、かつ受信性能の劣化を防ぐことができる。
【００７７】
次に、本発明の他の実施の形態について図面を用いて説明する。なお、図中同一または相当部分には同一符号を付してその説明は繰り返さない。
【００７８】
＜第５の実施の形態＞
本実施の形態は、第１の実施の形態に係るチューナと比べて一部のクリスタル発振回路を共通にしたチューナに関する。以下で説明する内容以外は第１の実施の形態に係るチューナと同様である。
【００７９】
図５は、本発明の第５の実施の形態に係るチューナの構成を示す図である。
図５を参照して、チューナ１０５は、ダイバーシティ部２がクリスタル発振回路２５Ｂを含まない点でチューナ１０１と異なる。
【００８０】
クリスタル発振回路２５Ａは、発振信号をＰＬＬ回路２４Ａ，２４Ｂへ出力することにより、ＰＬＬ回路２４Ａ，２４Ｂを駆動する。ＰＬＬ回路２４Ａ，２４Ｂは、クリスタル発振回路２５Ａから受けた発振信号に基づいて、ローカル信号（局部発振信号）の発振周波数をそれぞれ変更する。ＶＣＯ２３Ａ，２３Ｂの各々は、ＰＬＬ回路２４Ａ，２４Ｂの制御に基づいて発振し、たとえば互いに位相がπ／２異なる２個のローカル信号を出力する。
【００８１】
本発明の第５の実施の形態に係るチューナでは、クリスタル発振回路２５Ａが、共通の発振信号をＰＬＬ回路２４Ａ，２４Ｂへ出力する構成により、本発明の第１の実施の形態に係るチューナと比べて小型化、低価格化および低消費電力化を図ることができる。
【００８２】
その他の構成および動作は第１の実施の形態に係るチューナと同様であるため、ここでは詳細な説明を繰り返さない。したがって、本発明の第５の実施の形態に係るチューナでは、チャンネルサーチを行ない、かつ受信性能の劣化を防ぐことができる。
【００８３】
次に、本発明の他の実施の形態について図面を用いて説明する。なお、図中同一または相当部分には同一符号を付してその説明は繰り返さない。
【００８４】
＜第６の実施の形態＞
本実施の形態は、第１の実施の形態に係るチューナと比べて一部の回路を集積化したチューナに関する。以下で説明する内容以外は第１の実施の形態に係るチューナと同様である。
【００８５】
図６は、本発明の第６の実施の形態に係るチューナの構成を示す図である。
図６を参照して、チューナ１０６では、ＲＦ＿ＡＧＣ回路２１Ａと、ミキサ回路２２Ａと、ＶＣＯ２３Ａと、ＰＬＬ回路２４Ａと、ベースバンドＡＧＣ回路２６Ａと、ＲＦ＿ＡＧＣ回路２１Ｂと、ミキサ回路２２Ｂと、ＶＣＯ２３Ｂと、ＰＬＬ回路２４Ｂと、ベースバンドＡＧＣ回路２６Ｂとが、集積回路２９に含まれる。
【００８６】
このような構成により、本発明の第１の実施の形態に係るチューナと比べて基板に実装する部品点数を削減することができるため、製造不良の発生を抑制することができる。また、基板上において、各回路間の配線を削減することができるため、小型化を図ることができる。
【００８７】
その他の構成および動作は第１の実施の形態に係るチューナと同様であるため、ここでは詳細な説明を繰り返さない。したがって、本発明の第６の実施の形態に係るチューナでは、チャンネルサーチを行ない、かつ受信性能の劣化を防ぐことができる。
【００８８】
次に、本発明の他の実施の形態について図面を用いて説明する。なお、図中同一または相当部分には同一符号を付してその説明は繰り返さない。
【００８９】
＜第７の実施の形態＞
本実施の形態は、第１の実施の形態に係るチューナと比べて一部の回路を集積化したチューナに関する。以下で説明する内容以外は第１の実施の形態に係るチューナと同様である。
【００９０】
図７は、本発明の第７の実施の形態に係るチューナの構成を示す図である。
図７を参照して、チューナ１０７では、ＲＦ＿ＡＧＣ回路２１Ａと、ミキサ回路２２Ａと、ＶＣＯ２３Ａと、ＰＬＬ回路２４Ａと、ベースバンドＡＧＣ回路２６Ａと、Ａ／Ｄコンバータ１１Ａと、復調回路１２Ａと、合成回路２８と、ＲＦ＿ＡＧＣ回路２１Ｂと、ミキサ回路２２Ｂと、ＶＣＯ２３Ｂと、ＰＬＬ回路２４Ｂと、ベースバンドＡＧＣ回路２６Ｂと、Ａ／Ｄコンバータ１１Ｂと、復調回路１２Ｂとが、集積回路３１に含まれる。
【００９１】
このような構成により、本発明の第６の実施の形態に係るチューナと比べて、基板に実装する部品点数をさらに削減することができるため、製造不良の発生を抑制することができる。また、基板上において、各回路間の配線を削減することができるため、小型化を図ることができる。
【００９２】
その他の構成および動作は第１の実施の形態に係るチューナと同様であるため、ここでは詳細な説明を繰り返さない。したがって、本発明の第７の実施の形態に係るチューナでは、チャンネルサーチを行ない、かつ受信性能の劣化を防ぐことができる。
【００９３】
次に、本発明の他の実施の形態について図面を用いて説明する。なお、図中同一または相当部分には同一符号を付してその説明は繰り返さない。
【００９４】
＜第８の実施の形態＞
本実施の形態は、第１の実施の形態に係るチューナと比べて一部の回路を集積化したチューナに関する。以下で説明する内容以外は第１の実施の形態に係るチューナと同様である。
【００９５】
図８は、本発明の第８の実施の形態に係るチューナの構成を示す図である。
図８を参照して、チューナ１０８では、Ａ／Ｄコンバータ１１Ａと、復調回路１２Ａと、合成回路２８と、Ａ／Ｄコンバータ１１Ｂと、復調回路１２Ｂとが、集積回路３０に含まれる。
【００９６】
このような構成により、本発明の第１の実施の形態に係るチューナと比べて、基板に実装する部品点数をさらに削減することができるため、製造不良の発生を抑制することができる。また、基板上において、合成回路２８と復調回路１２Ａおよび復調回路１２Ｂとの間の配線を削減することができるため、小型化を図ることができる。
【００９７】
その他の構成および動作は第１の実施の形態に係るチューナと同様であるため、ここでは詳細な説明を繰り返さない。したがって、本発明の第８の実施の形態に係るチューナでは、チャンネルサーチを行ない、かつ受信性能の劣化を防ぐことができる。
【００９８】
次に、本発明の他の実施の形態について図面を用いて説明する。なお、図中同一または相当部分には同一符号を付してその説明は繰り返さない。
【００９９】
＜第９の実施の形態＞
本実施の形態は、筐体を備えたチューナに関する。以下で説明する内容以外は第２の実施の形態に係るチューナと同様である。
【０１００】
図９は、本発明の第９の実施の形態に係るチューナの構成を示す図である。
図９を参照して、チューナ１０９では、分配器（分配回路）４８と、ダイバーシティ部１，２，３とが筐体Ｋに収納される。入力端子２０Ａ，２０Ｂは、筐体Ｋに取り付けられる。
【０１０１】
このような構成により、チューナの検査工程を１つにまとめることができるため、製造コストの削減を図ることができる。
【０１０２】
その他の構成および動作は第２の実施の形態に係るチューナと同様であるため、ここでは詳細な説明を繰り返さない。したがって、本発明の第９の実施の形態に係るチューナでは、チャンネルサーチを行ない、かつ受信性能の劣化を防ぐことができる。
【０１０３】
次に、本発明の他の実施の形態について図面を用いて説明する。なお、図中同一または相当部分には同一符号を付してその説明は繰り返さない。
【０１０４】
＜第１０の実施の形態＞
本実施の形態は、チューナを備えたダイバーシティ受信システムに関する。
【０１０５】
図１０は、本発明の第１０の実施の形態に係るダイバーシティ受信システムの構成を示す図である。
【０１０６】
図１０を参照して、ダイバーシティ受信システム２０１は、アンテナＡＮＴ１，ＡＮＴ２と、チューナ１０１と、信号処理部１５１と、記憶部１５２とを備える。
【０１０７】
アンテナＡＮＴ１，ＡＮＴ２は、それぞれＲＦ信号を受信する。チューナ１０１は、通常モードにおいて、選局されたチャンネルの放送を受信するために、アンテナＡＮＴ１，ＡＮＴ２が受信したＲＦ信号のベースバンド信号への周波数変換、復調および補間等をそれぞれ行ない、これらの受信処理後の信号を合成し、合成した信号をＴＳ信号として信号処理部１５１へ出力する。
【０１０８】
また、チューナ１０１は、チャンネルサーチモードにおいて、チャンネルサーチを行なうために、アンテナＡＮＴ１，ＡＮＴ２が受信したＲＦ信号のいずれか一方の受信処理を行ない、選局されたチャンネルの放送を受信するために、他方のＲＦ信号の受信処理を行なう。そして、チューナ１０１は、選局されたチャンネルの放送を受信するための受信処理によって生成された信号をＴＳ信号として信号処理部１５１へ出力する。
【０１０９】
信号処理部１５１は、チューナ１０１から受けたＴＳ信号をたとえばＭＰＥＧ復号処理し、このＭＰＥＧ復号処理によって得られた映像信号、音声信号およびデータを外部または記憶部１５２へ出力する。
【０１１０】
記憶部１５２は、信号処理部１５１から受けた映像信号、音声信号およびデータを記憶する。
【０１１１】
その他の構成および動作は第１の実施の形態に係るチューナと同様であるため、ここでは詳細な説明を繰り返さない。したがって、本発明の第１０の実施の形態に係るダイバーシティ受信システムでは、チャンネルサーチを行ない、かつ受信性能の劣化を防ぐことができる。
【０１１２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１３】
【図１】本発明の第１の実施の形態に係るチューナの機能ブロック図である。
【図２】本発明の第２の実施の形態に係るチューナの構成を示す図である。
【図３】本発明の第３の実施の形態に係るチューナの構成を示す図である。
【図４】本発明の第４の実施の形態に係るチューナの構成を示す図である。
【図５】本発明の第５の実施の形態に係るチューナの構成を示す図である。
【図６】本発明の第６の実施の形態に係るチューナの構成を示す図である。
【図７】本発明の第７の実施の形態に係るチューナの構成を示す図である。
【図８】本発明の第８の実施の形態に係るチューナの構成を示す図である。
【図９】本発明の第９の実施の形態に係るチューナの構成を示す図である。
【図１０】本発明の第１０の実施の形態に係るダイバーシティ受信システムの構成を示す図である。
【符号の説明】
【０１１４】
１，２，３  ダイバーシティ部、１１Ａ，１１Ｂ，１１Ｃ  Ａ／Ｄコンバータ、１２Ａ，１２Ｂ，１２Ｃ  復調回路、２０Ａ，２０Ｂ，２０Ｃ  入力端子、２１Ａ，２１Ｂ，２１Ｃ  ＲＦ＿ＡＧＣ回路、２２Ａ，２２Ｂ，２２Ｃ  ミキサ回路、２３Ａ，２３Ｂ，２３Ｃ  ＶＣＯ、２４Ａ，２４Ｂ，２４Ｃ  ＰＬＬ回路、２５Ａ，２５Ｂ，２５Ｃ  クリスタル発振回路、２６Ａ，２６Ｂ，２６Ｃ  ベースバンドＡＧＣ回路、２７Ａ，２７Ｂ，２７Ｃ  ダイバーシティ受信用復調ＩＣ、２８  合成回路、２９〜３１  集積回路、４８  分配器（分配回路）、１０１〜１０９  チューナ、１５１  信号処理部、１５２  記憶部、２０１  ダイバーシティ受信システム、Ｋ  筐体、ＡＮＴ１，ＡＮＴ２  アンテナ。
【図１】
2009077023.tif 000003
【図２】
2009077023.tif 000004
【図３】
2009077023.tif 000005
【図４】
2009077023.tif 000006
【図５】
2009077023.tif 000007
【図６】
2009077023.tif 000008
【図７】
2009077023.tif 000009
【図８】
2009077023.tif 000010
【図９】
2009077023.tif 000011
【図１０】
2009077023.tif 000012